(57)【要約】【課題】製造工数や部品点数を少なくし、容易に製造することができるスイッチ装置を提供すること。【解決手段】押込部材１２の頂面をばねに抗して下方に押し込むと、押込部材１２が下方に降下し、押込部材１２のカム面１２ｅが回動部材１３のカム面１３ａに当接する。これにより、ランチャ機構による駆動力が回動部材１３に加わり、回動部材１３が矢印Ｂ方向に約４５度回転する。これにしたがって、切片１３ｃが導電パターン部材１４上を摺動して、凸状部１４ｂに位置して導電パターン１４ａと接続状態になる。その結果、ＬＥＤ素子１２ｂに電流が供給されてＬＥＤ素子１２ｂが発光する。【選択図】図２
2006294259.tif 000002
【特許請求の範囲】
【請求項１】
第１切片及び前記第１切片と電気的に接続する第１導体部を有するスイッチ本体と、前記スイッチ本体の前記切片に対して摺動可能な位置に第２導体部を有し、前記第２導体部と電気的に接続された発光素子を備えた押込部材と、を具備し、前記押込部材を押し込む毎に前記発光素子のスイッチングが行われることを特徴とするスイッチ装置。
【請求項２】
前記押込部材は底面にカム面を有しており、前記スイッチ本体は、前記カム面と当接することにより前記押込部材の押込方向を軸に回転する回動部材を備えることを特徴とする請求項１記載のスイッチ装置。
【請求項３】
前記回動部材は底面に第２切片を有しており、前記スイッチ本体は、前記回動部材の回転により前記第２切片と電気的に接続／非接続する導電パターン部材を有することを特徴とする請求項２記載のスイッチ装置。
【請求項４】
開口を有する面及び傾斜面を有するスイッチ本体と、前記スイッチ本体の前記開口内で押込可能に取り付けられた押込部材と、前記傾斜面に沿って設けられた発光素子と、を具備し、前記押込部材の押し込み方向と前記傾斜面の法線方向とが所定の角度を有することを特徴とするスイッチ装置。
【請求項５】
前記発光素子がＬＥＤ素子であることを特徴とする請求項１から請求項４のいずれかに記載のスイッチ装置。
【発明の詳細な説明】
【技術分野】
【０００１】
本発明はスイッチ装置に関し、特にＬＥＤ素子を内蔵したスイッチ装置に関する。
【背景技術】
【０００２】
従来からＬＥＤ素子を搭載したスイッチ装置が開発されている。このスイッチ装置は、ＬＥＤ素子及びチップ抵抗素子、並びにスイッチユニットを搭載したプリント配線板を有する。このプリント配線板上には、配線を取り出すために、例えばコネクタなども実装される。これらの素子やコネクタは、半田付けによりプリント配線板に実装されている。そして、このようなプリント配線板をスイッチ装置の筐体にねじ止めなどの方法で取り付けてスイッチ装置を構成する。
【０００３】
また、フィルム上にＬＥＤ素子を導電性接着剤で実装したものをメンブレンスイッチと組み合わせ、これをスイッチ装置の筐体に取り付けてスイッチ装置を構成したものもある。
【特許文献１】実用新案登録公報第２５８８４１９号公報
【特許文献２】特開２００４−２７６８７６号公報
【発明の開示】
【発明が解決しようとする課題】
【０００４】
しかしながら、従来の構成のスイッチ装置においては、スイッチ本体を光らせることが非常に難しく、また、プリント配線板に半田付けにより素子を実装するので、リフロー半田付けに耐性を有する素子を使用する必要がある。また、プリント配線板にコネクタを実装するので、製造工数が多く、部品点数が多くなるという問題がある。また、プリント配線板上にスイッチとＬＥＤを実装するので、スイッチの操作方向と光らせる方向とを変えることが難しかった。
【０００５】
本発明はかかる点に鑑みてなされたものであり、製造工数や部品点数を少なくし、容易に製造することができるスイッチ装置を提供することを目的とする。また、本発明は、スイッチの操作方向と光らせる方向とを変えることができるスイッチ装置を提供することを目的とする。
【課題を解決するための手段】
【０００６】
本発明のスイッチ装置は、第１切片及び前記第１切片と電気的に接続する第１導体部を有するスイッチ本体と、前記スイッチ本体の前記切片に対して摺動可能な位置に第２導体部を有し、前記第２導体部と電気的に接続された発光素子を備えた押込部材と、を具備し、前記押込部材を押し込む毎に前記発光素子のスイッチングが行われることを特徴とする。
【０００７】
この構成によれば、押込部材の頂部に発光素子を備えているので、スイッチ押し込み部分を光らせることができる。また、プリント配線板を用いる必要がないので、製造工数や部品点数を少なくし、容易に製造することができる。
【０００８】
本発明のスイッチ装置においては、前記押込部材は底面にカム面を有しており、前記スイッチ本体は、前記カム面と当接することにより前記押込部材の押込方向を軸に回転する回動部材を備えることが好ましい。この場合において、前記回動部材は底面に第２切片を有しており、前記スイッチ本体は、前記回動部材の回転により前記第２切片と電気的に接続／非接続する導電パターン部材を有することが好ましい。
【０００９】
本発明のスイッチ装置は、開口を有する面及び傾斜面を有するスイッチ本体と、前記スイッチ本体の前記開口内で押込可能に取り付けられた押込部材と、前記傾斜面に沿って設けられた発光素子と、を具備し、前記押込部材の押し込み方向と前記傾斜面の法線方向とが所定の角度を有することを特徴とする。
【００１０】
この構成によれば、押込部材の押し込み方向と傾斜面の法線方向とが所定の角度を有するので、スイッチの操作方向と光らせる方向とを変えることができる。
【００１１】
本発明のスイッチ装置においては、前記発光素子がＬＥＤ素子であることが好ましい。
【発明の効果】
【００１２】
本発明によれば、内側に突出する第１切片及び前記第１切片と電気的に接続する第１導体部を内側面に有する筒状部を備えたスイッチ本体と、前記スイッチ本体の前記切片に対して摺動可能な位置に第２導体部を有し、前記第２導体部と電気的に接続された発光素子を頂部に備えた押込部材と、を具備し、前記押込部材を押し込む毎に前記発光素子のスイッチングが行われるので、スイッチ押し込み部分を光らせることができ、しかも製造工数や部品点数を少なくし、容易に製造することができるスイッチ装置を提供することができる。
【００１３】
また、本発明によれば、開口を有する面及び傾斜面を有するスイッチ本体と、前記スイッチ本体の前記開口内で押込可能に取り付けられた押込部材と、前記傾斜面に沿って設けられた発光素子と、を具備し、前記押込部材の押し込み方向と前記傾斜面の法線方向とが所定の角度を有するので、スイッチの操作方向と光らせる方向とを変えることができるスイッチ装置を提供することができる。
【発明を実施するための最良の形態】
【００１４】
以下、本発明の実施の形態について添付図面を参照して詳細に説明する。
（実施の形態１）
図１は、本発明の実施の形態１に係るスイッチ装置の概略構成を示す斜視図である。また、図２（ａ）は図１に示すスイッチ装置の内部構成を示す図であり、図２（ｂ）は図２（ａ）における導電パターンを示す図である。図１に示すスイッチ装置１は、スイッチ本体１１と、スイッチ本体１１に対して押し込まれる押込部材１２とから主に構成されている。
【００１５】
スイッチ本体１１は、基台１１ｂと、基台１１ｂから上方に延在した筒部１１ａとを有する。この筒部１１ａは、その内側面に導体部（第１導体部）１１ｃを有しており、この導体部１１ｃから内側に突出する切片（第１切片）１１ｄが設けられている。また、筒部１１ａの頂部には、後述する押込部材１２を挿通する開口を有する。切片１１ｄは、導体部１１ｃに対して電気的に弾性接続されている。また、導体部１１ｃと切片１１ｄとは別体として構成しても良く、一体として構成しても良い。基台１１ｂは、後述する回動部材や導電パターン部材を収容する空間を内部に有しており、回動部材や導電パターン部材を囲繞している。このようなスイッチ本体１１は、導体部１１ｃ及び／又は切片１１ｄをインサート部品とするインサート成形により作製することが望ましい。これにより、導体部１１ｃ及び／又は切片１１ｄを有する筒部を備えたスイッチ本体１１を簡単に作製することができる。また、切片１１ｄは、例えば導体部１１ｃを構成する金属層を折り曲げて形成することができる。
【００１６】
押込部材１２は、断面略凸形状を有しており、その肩部１２ｃがスイッチ本体１１の筒部１１ａ内に配置される。また、押込部材１２は、肩部１２ｃと連接し、上方に延在する押込部１２ｄを有する。押込部１２ｄの頂面には、発光素子であるＬＥＤ素子１２ｂが取り付けられている。また、押込部材１２においてスイッチ本体１１の切片１１ｄに対して摺動可能な位置、ここでは押込部材１２の押込部１２ｄから肩部１２ｃにわたる外表面には、導体部（第２導体部）１２ａが設けられている。ＬＥＤ素子１２ｂと導体部１２ａとは電気的に接続されている。また、押込部材１２の底面には、後述する回動部材の上面との間でカムを構成するカム面１２ｅが形成されている。なお、スイッチ本体１１の基台１１ｂと押込部材１２との間の間隔は、切片１１ｄが導体部１２ａと接触するように設定する必要がある。なお、この押込部材１２は、ばねなどの弾性部材（図示せず）により上方に付勢されている。このような押込部材１２を作製する場合、例えば２色成形法により成形品を作製し、導体部形成領域上にメッキ（例えば、Ｃｕメッキ、Ｎｉメッキ、Ａｕメッキをその順番に行う）などの方法により導体部１２ａを形成することにより作製する。そして、この成形体の素子形成領域にＬＥＤ素子や抵抗素子を実装する。この実装には、例えば半田付けを用いる。
【００１７】
スイッチ本体１１の内部には、押込部材１２のカム面１２ｅとカムを構成するカム面１３ａを有する回動部材１３が配置されている。この回動部材１３は、スイッチ本体１１の内部において、押込部材１２のカム面１２ｅとカム面１３ａとが対面するように配置されている。また、回動部材１３は、矢印方向Ａを軸としてスイッチ本体１１に回転可能に取り付けられている。したがって、押込部材１２が矢印Ａ方向に押し込まれることにより、カム面１２ｅ，１３ａが当接し、このカム機構（ランチャ機構）による駆動力により回動部材１３が押込方向（矢印方向Ａ）を軸に回転する（矢印方向Ｂ）。
【００１８】
回動部材１３の底部には、台部１３ｂが取り付けられており、この台部１３ｂには、下方に突出するように切片（第２切片）１３ｃが取り付けられている。この切片１３ｃは、台部１３ｂに形成された配線パターン（図示せず）に電気的に接続されており、この配線パターンは、配線１６により外部の電源（図示せず）に電気的に接続されている。なお、切片１３ｃは、例えば台部１３ｂに設けられた金属層を折り曲げて形成することができる。
【００１９】
スイッチ本体１１の内部には、回動部材１３の回転により切片１３ａと電気的に接続／非接続する導電パターンを有する導電パターン部材１４を有する。この導電パターン部材１４は、スイッチ本体１１内部において切片１３ｃと導電パターンとが接触する位置に配置される。導電パターン部材１４は、図２（ｂ）に示すような導電パターン１４ａを有する。この導電パターン１４ａは、凸状部１４ｂ及び凹状部１４ｃで構成されており、周方向においてこの凹凸が交互に形成されている。また、それぞれの凸状部１４ｂ及び凹状部１４ｃはそれぞれ中心に対して対称に形成されている。また、導電パターン１４ａはスイッチ本体１１の導体部１１ｃと配線１５により電気的に接続されている。また、導電パターン１４ａは、外部の電源（図示せず）に電気的に接続されている。したがって、回動部材１３の切片１３ａ（ここでは２つ）のそれぞれが第１状態では、凹状部１４ｃに位置して導電パターン１４ａと非接続状態であり、第２状態では、凸状部１４ｂに位置して導電パターン１４ａと接続状態である。このような接触／非接触状態を実現するために、切片１３ｃの間隔や位置、導電パターン１４ａの形状などを適宜変更して作製する必要がある。なお、配線１５，１６については、説明を簡単にするために簡略化して図示してある。
【００２０】
上記構成を有するスイッチ装置の動作について説明する。まず、切片１３ｃが導電パターン１４ａの凹状部１４ｃに位置して導電パターン１４ａと非接続状態であるとする。押込部材１２の押込部１２ｄの頂面をばねに抗して下方に押し込むと、押込部材１２が下方に降下する。このとき、押込部材１２のカム面１２ｅが回動部材１３のカム面１３ａに当接する。これにより、ランチャ機構による駆動力が回動部材１３に加わり、回動部材１３が矢印Ｂ方向に約４５度回転する。これにしたがって、切片１３ｃが導電パターン部材１４上を摺動して、凸状部１４ｂに位置して導電パターン１４ａと接続状態になる。このとき、ばねが復元することにより押込部材１２は元の位置に戻る。その結果、ＬＥＤ素子１２ｂと接続された導体部１２ａが切片１１ｄを介して導体部１１ｃに接続され、配線１５により導体パターン１４ａに接続され、さらに外部の電源に接続され、一方、回動部材１３の切片１３ｃが外部の電源に接続される。これによりＬＥＤ素子１２ｂに電流が供給されてＬＥＤ素子１２ｂが発光する。
【００２１】
さらに、押込部材１２の押込部１２ｄの頂面をばねに抗して下方に押し込むと、押込部材１２が下方に降下する。このとき、押込部材１２のカム面１２ｅが回動部材１３のカム面１３ａに当接する。これにより、ランチャ機構による駆動力が回動部材１３に加わり、回動部材１３が矢印Ｂ方向にさらに約４５度回転する。これにしたがって、切片１３ｃが導電パターン部材１４上を摺動して、凹状部１４ｃに位置して導電パターン１４ａと非接続状態になる。このとき、ばねが復元することにより押込部材１２は元の位置に戻る。その結果、ＬＥＤ素子１２ｂへの電流供給が停止されてＬＥＤ素子１２ｂが消灯する。このように押込部材１２を押し込む毎にＬＥＤ素子１２ｂのスイッチングが行われる。
【００２２】
このように、本実施の形態に係るスイッチ装置は、押込部材１２の頂部にＬＥＤ素子１２ｂを備えているので、スイッチ押し込み部分を光らせることができる。また、プリント配線板を用いる必要がないので、製造工数や部品点数を少なくし、容易に製造することができる。
【００２３】
（実施の形態２）
本実施の形態においては、スイッチの操作方向と光らせる方向とを変えることができる構成について説明する。図３は、本発明の実施の形態２に係るスイッチ装置の概略構成を示す斜視図である。また、図４は、図３に示すスイッチ装置の内部構成を示す図である。
【００２４】
図３に示すスイッチ装置２は、スイッチ本体２１と、スイッチ本体２１に対して押し込まれる押込部材２２とから主に構成されている。スイッチ本体２１は、基台２１ｂと、基台２１ｂから上方に延在した筒部２１ａとを有する。基台２１ｂは、後述する接点部材を収容する空間を内部に有している。また、基台２１ｂは、水平方向に対して所定の角度傾斜した傾斜面２１ｆを有する。筒部２１ａの頂部には、後述する押込部材２２を挿通する開口を有する。さらに、傾斜面２１ｆには、発光素子であるＬＥＤ素子２１ｃを実装するための凹部が形成されている。また、傾斜面２１ｆ上には、導電パターン２１ｄが形成されている。
【００２５】
このようなスイッチ本体２１は、通常の成形により、凹部を有する傾斜面や開口を備えたスイッチ本体２１の成形体を作製し、その凹部に導電性接着剤２１ｅを介してＬＥＤ素子２１ｃを実装する。導電パターン２１ｄは、まずＰＥＴ（ポリエチレンテレフタレート）やＰＥＮ（ポリエチレンナフタレート）で構成されたフィルムに抵抗及び配線を印刷する。例えば、抵抗としてカーボンペーストを用い、配線としてＡｇペーストを用いる。次いで、印刷されたペーストを乾燥し硬化させて導電パターン２１ｄや抵抗パターンを形成する。このように作製された転写フィルムを用いて成形体に導電パターン２１ｄや抵抗パターンを転写する。この導電パターン２１ｄはスイッチ本体２１の基台２１ｂ内の接点と繋がったパターン（図示せず）に接続される。なお、スイッチ本体２１を構成する材料としては、耐熱性などを考慮して、ＰＢＴ（ポリブチレンテレフタレート）、ＰＥＴ（ポリエチレンテレフタレート）、ＰＰＳ（ポリフェニレンサルファイド）などを用いることが好ましい。
【００２６】
押込部材２２は、断面略凸形状を有しており、その肩部２２ａがスイッチ本体２１の筒部２１ａ内に配置される。すなわち、押込部材２２は、スイッチ本体２１の開口内で押込可能に取り付けられている。また、押込部材２２は、肩部２２ａと連接し、上方に延在する押込部２２ｂを有する。なお、この押込部材２２は、ばねなどの弾性部材（図示せず）により上方に付勢されている。
【００２７】
スイッチ本体２１の基台２１ｂ内には、接点部材２３〜２５が配置されている。この接点部材２３〜２５は、基台２１ｂ内に取り付けられた台部２４と、台部２４上に設けられた固定接点２５と、固定接点２５の上方に配置された可動接点とから主に構成されている。可動接点としては、例えばクリックばね２３などを用いることができる。また、固定接点２５及びクリックばね２３は、所定の間隔（Ｃ）をおいて配置され、それぞれ導電パターン２１ｄに電気的に接続されている。また、固定接点２５は、配線を介して電源（図示せず）に電気的に接続されている。したがって、押込部材１２の押し込み動作によりクリックばね２３が変形し、固定接点２５と接触することによりＬＥＤ素子２１ｃを発光させるようになっている。このような構成においては、押込部材２２の押し込み方向と傾斜面２１ｆの法線方向とが所定の角度を有するようになっている。
【００２８】
押込部材２２をばねに抗して下方に押し込むと、押込部材２２が下方に降下する。このとき、押込部材２２がクリックばね２３（上方に凸状）の腹部に当接して、クリックばね２３が変形して下方に凸状になる。これにより、クリックばね２３と固定接点２５とが電気的に接触する。したがって、ＬＥＤ素子２１ｃに電流が供給されてＬＥＤ素子２１ｃが発光する。
【００２９】
このように本実施の形態のスイッチ装置は、押込部材２２の押し込み方向と傾斜面２１ｆの法線方向とが所定の角度を有するので、スイッチの操作方向と光らせる方向とを変えることができる。
【００３０】
本発明は上記実施の形態１，２に限定されず、種々変更して実施することが可能である。例えば、上記実施の形態１，２においては、発光素子としてＬＥＤ素子を用いた場合について説明しているが、本発明においては発光素子としてＬＥＤ素子以外の素子を用いても良い。その他、本発明の目的の範囲を逸脱しない限りにおいて適宜変更して実施することが可能である。
【産業上の利用可能性】
【００３１】
本発明は、車載用又はオーディオ用で使用されるスイッチ装置に適用することが可能である。
【図面の簡単な説明】
【００３２】
【図１】本発明の実施の形態１に係るスイッチ装置の概略構成を示す斜視図である。
【図２】（ａ）は図１に示すスイッチ装置の内部構成を示す図であり、（ｂ）は（ａ）における導電パターンを示す図である。
【図３】本発明の実施の形態２に係るスイッチ装置の概略構成を示す斜視図である。
【図４】図３に示すスイッチ装置の内部構成を示す図である。
【符号の説明】
【００３３】
１１，２１  スイッチ本体
１１ａ，２１ａ  筒部
１１ｂ，２１ｂ  基台
１１ｃ，１２ａ  導体部
１１ｄ，１３ｃ  切片
１２，２２  押込部材
１２ｂ，２１ｃ  ＬＥＤ素子
１２ｅ，１３ａ  カム面
１３  回動部材
１４  配線パターン部材
１４ａ  配線パターン
１５，１６  配線
２１ｄ  導電パターン
２１ｆ  傾斜面
２３  クリックばね
２５  固定接点
【図１】
2006294259.tif 000003
【図２】
2006294259.tif 000004
【図３】
2006294259.tif 000005
【図４】
2006294259.tif 000006